(57)【要約】【課題】  電動機付ターボチャージャの安定した制御を実現する。【解決手段】  ターボチャージャとともに電動機付ターボチャージャを形成する永久磁石同期モータに各相のモータ駆動信号を供給することにより制御・駆動する電動機制御・駆動装置において、駆動信号の各相に対応する回転子の回転位置を検出する回転検出器と、駆動装置から固定子巻線に供給される複数の駆動相のモータ駆動電流をそれぞれ検出する電流検出器と、回転検出器によって検出された各相に対応する回転子の回転位置及び電流検出器によって検出された複数の駆動相のモータ駆動電流に基づいて各相に対応する制御信号を生成するモータ制御装置と、該モータ制御装置から入力される制御信号に基づいてモータ駆動信号を生成するモータ駆動装置とを具備する。【選択図】      図１
2007116769.tif 000002
【特許請求の範囲】
【請求項１】
ターボチャージャとともに電動機付ターボチャージャを形成する永久磁石同期モータに各相のモータ駆動信号を供給することにより制御・駆動する電動機制御・駆動装置であって、
前記駆動信号の各相に対応する回転子の回転位置を検出する回転検出器と、
前記駆動装置から固定子巻線に供給される複数の駆動相のモータ駆動電流をそれぞれ検出する電流検出器と、
前記回転検出器によって検出された各相に対応する回転子の回転位置及び前記電流検出器によって検出された複数の駆動相のモータ駆動電流に基づいて各相に対応する制御信号を生成するモータ制御装置と、
該モータ制御装置から入力される制御信号に基づいてモータ駆動信号を生成するモータ駆動装置と
を具備することを特徴とする電動機付ターボチャージャ用電動機制御・駆動装置。
【請求項２】
モータ制御装置は、１２０°通電方式に基づいて制御信号を生成することを特徴とする請求項１記載の電動機付ターボチャージャ用電動機制御・駆動装置。
【請求項３】
モータ制御装置は、回転子の回転位置及びモータ駆動電流に基づいて時系列的に連続する連続制御信号を生成し、当該連続制御信号を回転子の回転位置に基づいて選択的に抽出することにより１２０°通電方式に対応した制御信号を生成する、ことを特徴とする請求項２記載の電動機付ターボチャージャ用電動機制御・駆動装置。
【請求項４】
回転検出器はホール素子を用いて回転子の回転位置を検出することを特徴とする請求項１〜３いずれかに記載の電動機付ターボチャージャ用電動機制御・駆動装置。
【発明の詳細な説明】
【技術分野】
【０００１】
本発明は、電動機付ターボチャージャ用電動機制御・駆動装置に関する。
【背景技術】
【０００２】
下記非特許文献１には、ターボチャージャに組み込んだＰＭモータ（永久磁石型同期モータ）の駆動システムが開示されている。ＰＭモータを組み込んだターボチャージャ（ハイブリッドターボチャージャ）は、ＰＭモータの回転子をターボチャージャの回転軸と一体化させたものであり、ＰＭモータの回転動力によってターボチャージャの回転を補助するものである。
本駆動システムは、ターボチャージャの補助用モータであるＰＭモータとして回転子の回転位置を検出する位置センサを具備しないブラシレスＤＣモータ（センサレスブラシレスＤＣモータ）を採用すると共に、当該センサレスブラシレスＤＣモータを１２０°通電方式で駆動するものであり、非通電期間に固定子巻線に誘起する誘起電圧を利用して回転子の回転位置を判定することにより各相の駆動電流を生成する。
一方、センサレスブラシレスＤＣモータの制御技術において、回転子の回転位置を演算によって推定する各種手法が、例えば以下の非特許文献２，３及び特許文献１等に詳細が開示されている。これら各手法は、センサレスブラシレスＤＣモータを１８０°通電方式で制御する場合において、センサレスブラシレスＤＣモータの駆動電流あるいはセンサレスブラシレスＤＣモータを駆動するインバータの各所電流に所定の演算処理を施すことにより回転子の角速度や回転角を推定するものである。
【非特許文献１】高田陽介他：「ターボチャージャ用220000 ｒ/ｍｉｎ −2ｋＷ ＰＭモータ駆動システム」，平成１６年電気学会産業応用部門大会講演論文集
【非特許文献２】竹下隆晴他:「電流推定誤差に基づくセンサレスブラシレスＤＣモータ制御」，平成７年電気学会全国大会講演論文集
【非特許文献３】市川真土：「回転座標系で拡張誘起電圧推定によるＩＰＭＳＭのセンサレス制御」，平成１３年電気学会全国大会講演論文集
【非特許文献４】大沢博：「埋込磁石形ＰＭモータの高性能Ｖ／ｆ制御」，テクノフロンティアシンポジウム2004 モータ技術シンポジウム，（社）日本能率協会
【特許文献１】特開2005-137106号公報
【発明の開示】
【発明が解決しようとする課題】
【０００３】
ところで、非特許文献１の技術では、非通電期間に固定子巻線に誘起する誘起電圧を利用して回転子の回転位置を判定するが、動作温度の変動による誘起電圧のレベル変動や誘起電圧に重畳するノイズに起因して、回転子の回転位置の検出誤差が大きいという問題がある。永久磁石型同期モータをターボチャージャに補助モータとして組み付けた電動機付ターボチャージャは、１０万回転を超える超高速回転域で動作するので、回転子の回転位置の僅かな検出誤差がモータ制御を不安定にする。
一方、非特許文献２，３及び特許文献１の技術は、センサレスブラシレスＤＣモータの制御・駆動方式として１８０°通電方式を採用するものであり、回転子の回転位置を演算処理によって推定するものである。すなわち、１８０°通電方式（あるいは正弦波通電方式）のように駆動信号を連続的にセンサレスブラシレスＤＣモータに供給する制御・駆動方式では非通電期間が存在しないため誘起電圧を検出することができないので、非特許文献２，３及び特許文献１の技術では、センサレスブラシレスＤＣモータを数値モデル化した微分方程式を解くことにより回転子の回転位置を推定する。
しかしながら、上記微分方程式の各種係数は、固定値として予め設定されたものであるため、動作温度の変動等に起因して実際のセンサレスブラシレスＤＣモータの特性値とは異なるものとなり、この結果、位置推定値は、実際のセンサレスブラシレスＤＣモータの回転位置に対して誤差を生じる。したがって、非特許文献２，３及び特許文献１の技術も、非特許文献１の技術の技術と同様に、電動機付ターボチャージャに適用した場合には安定したモータ制御を実現することができない。
【０００４】
本発明は、上述した事情に鑑みてなされたものであり、電動機付ターボチャージャの安定した制御を実現することを目的とするものである。
【課題を解決するための手段】
【０００５】
上記目的を達成するために、本発明では、第１の解決手段として、ターボチャージャとともに電動機付ターボチャージャを形成する永久磁石同期モータに各相のモータ駆動信号を供給することにより制御・駆動する電動機制御・駆動装置において、駆動信号の各相に対応する回転子の回転位置を検出する回転検出器と、駆動装置から固定子巻線に供給される複数の駆動相のモータ駆動電流をそれぞれ検出する電流検出器と、回転検出器によって検出された各相に対応する回転子の回転位置及び電流検出器によって検出された複数の駆動相のモータ駆動電流に基づいて各相に対応する制御信号を生成するモータ制御装置と、該モータ制御装置から入力される制御信号に基づいてモータ駆動信号を生成するモータ駆動装置とを具備する、という手段を採用する。
【０００６】
第２の解決手段として、上記第１の手段において、モータ制御装置は１２０°通電方式に基づいて制御信号を生成する、という手段を採用する。
【０００７】
第３の解決手段として、上記第２の手段において、モータ制御装置は、回転子の回転位置及びモータ駆動電流に基づいて時系列的に連続する連続制御信号を生成し、当該連続制御信号を回転子の回転位置に基づいて選択的に抽出することにより１２０°通電方式に対応した制御信号を生成する、という手段を採用する。
【０００８】
第４の解決手段として、上記第１〜第３いずれかの手段において、回転検出器はホール素子を用いて回転子の回転位置を検出する、という手段を採用する。
【発明の効果】
【０００９】
本発明によれば、回転検出器によって高精度に検出された各相に対応する回転子の回転位置に基づいて制御信号を生成するので、回転域が１０万回転を超える電動機付ターボチャージャ用の補助モータを安定して制御することができる。したがって、電動機付ターボチャージャの安定した制御を実現することができる。
【発明を実施するための最良の形態】
【００１０】
以下、図面を参照して、本発明の一実施形態について説明する。
図１は、本実施形態に係る電動機付ターボチャージャ用電動機制御・駆動装置の構成を示すブロック図である。この図１において、符号１はモータ駆動装置、２は電動機付ターボチャージャ、３Ａ，３Ｂは電流検出器、４はモータ制御装置である。
【００１１】
モータ駆動装置１は、図示するように直流電源１ａ、昇圧回路１ｂ及びインバータ１ｃから構成されており、また電動機付ターボチャージャ２は、永久磁石型同期モータ２ａ、ターボチャージャ２ｂ及び回転検出器２ｃ〜２ｅから構成されている。モータ駆動装置１は、直流電源１ａから出力された直流電圧（電源電圧）に基づいてモータ駆動信号（交流信号）を生成して永久磁石型同期モータ２ａを駆動するものである。
【００１２】
直流電源１ａは、１あるいは複数のバッテリを直列接続したものであり、所定の直流電圧を昇圧回路１ｂに出力する。昇圧回路１ｂは、必要に応じて設けられるものであり、直流電源１ａから供給された直流電圧を昇圧してインバータ１ｃに供給する。インバータ１ｃは、モータ制御装置５から供給されるＰＷＭ（Pulse Width Modulation）信号ＵＰ，ＵＮ，ＶＰ，ＶＮ，ＷＰ，ＷＮに基づいて昇圧回路１ｂから供給された直流電圧をスイッチングすることにより、図示するようにＵ相、Ｖ相及びＷ相からなる３相のモータ駆動信号Ｕ，Ｖ，Ｗを生成する。
【００１３】
図２は、インバータ１ｃの詳細構成を示す回路図である。この図に示すように、上記インバータ１ｃは、モータ駆動信号Ｕ，Ｖ，Ｗの各相（Ｕ相，Ｖ相及びＷ相）に対応した３つのスイッチアーム１ｄ〜１ｆを備えており、各スイッチアーム１ｄ〜１ｆの合計６個のスイッチング素子Ｓup，Ｓun，Ｓvp，Ｓvn，Ｓwp，Ｓwnのｏｎ／ｏｆｆ状態がモータ制御装置４から供給されるＰＷＭ信号ＵＰ，ＵＮ，ＶＰ，ＶＮ，ＷＰ，ＷＮ（制御信号）によって設定されることにより直流電圧を交流のモータ駆動信号Ｕ，Ｖ，Ｗに変換する。
【００１４】
永久磁石型同期モータ２ａは、回転子が永久磁石から形成された同期モータであり、補助用モータとしてターボチャージャ２ｂの回転を補助するものである。ターボチャージャ２ｂは、周知のようにタービンとコンプレッサとから構成されるものであり、補機としてエンジンに付設されている。回転検出器２ｃ〜２ｅは、永久磁石型同期モータ２ａに付設されており、モータ駆動信号Ｕ，Ｖ，Ｗの各相（Ｕ相、Ｖ相及びＷ相）に対応する回転子の回転位置を検出してモータ制御装置４に供給する。これら回転検出器２ｃ〜２ｅは、例えばホール素子で回転子の磁力を検出することによって回転子の回転位置を示す検出信号ＨＵ，ＨＶ，ＨＷを出力する。
【００１５】
電流検出器３Ａは、上記インバータ１ｃのＵ相出力端と永久磁石型同期モータ２ａのＵ相固定子巻線とを接続するＵ相駆動信号線に設けられており、上記Ｕ相出力端からＵ相固定子巻線に流れるモータ駆動電流Ｉuを検出してモータ制御装置４に供給する。一方、電流検出器３Ｂは、上記インバータ１ｃのＶ相出力端と永久磁石型同期モータ２ａのＶ相固定子巻線とを接続するＶ相駆動信号線に設けられており、上記Ｖ相出力端からＶ相固定子巻線に流れるモータ駆動電流Ｉvを検出してモータ制御装置４に供給する。
【００１６】
モータ制御装置４は、１２０°通電方式に基づいて上記インバータ１ｃをＰＷＭ制御することにより永久磁石型同期モータ２ａの回転を制御するものであり、図示するように減算器４ａ，４ｃ、速度制御器４ｂ、電流制御器４ｄ、ＰＷＭ信号発生器４ｅ、論理回路４ｆ、フィードバック電流演算器４ｇ及び速度演算器４ｈから構成されている。
【００１７】
減算器５ａは、上位制御装置であるエンジン制御装置(ＥＣＵ)から供給される角速度目標値ω０と速度演算器４ｈから供給される回転子の角速度ωとの差分を速度誤差Δωとして演算し速度制御器４ｂに出力する。速度制御器５ｂは、一種のＰＩＤ制御器であり、上記速度誤差Δωに所定の比例積分・微分演算を施することにより速度誤差Δωに対応する電流操作量Ｉsを演算して減算器４ｃに出力する。
【００１８】
減算器４ｃは、上記電流操作量Ｉsとフィードバック電流演算器４ｇから供給される合成駆動電流Ｉとの差分を誤差電流ΔＩとして演算し電流制御器４ｄに出力する。電流制御器４ｄは、一種のＰＩＤ制御器であり、上記誤差電流ΔＩに所定の比例積分・微分演算を各々施することにより電圧操作量Ｖsを生成してＰＷＭ信号発生器４ｅに出力する。
【００１９】
ＰＷＭ信号発生器４ｅは、上記電圧操作量Ｖsに基づいて、上記各相（Ｕ相、Ｖ相及びＷ相）に対応すると共に時系列的に連続するＰＷＭ信号（連続制御信号）を生成して論理回路４ｆに出力する。論理回路４ｆは、このような時系列的に連続するＰＷＭ信号の出力期間、つまりＰＷＭ信号をインバータ１ｃに供給する期間を上記回転検出器２ｃ〜２ｅの検出信号ＨＵ，ＨＶ，ＨＷに基づいて設定することにより、各相（Ｕ相、Ｖ相及びＷ相）及び各スイッチング素子Ｓup，Ｓun，Ｓvp，Ｓvn，Ｓwp，Ｓwnに対応したＰＷＭ信号ＵＰ，ＵＮ，ＶＰ，ＶＮ，ＷＰ，ＷＮ（制御信号）を生成する。
【００２０】
なお、上記減算器４ａ，４ｃ、速度制御器４ｂ、電流制御器４ｄ及びＰＷＭ信号発生器４ｅにより一連の構成はモータ制御系の構成として一般的なものであり、各比例積分・微分演算の演算式や係数等は、一般的なモータ制御系の場合と同様に永久磁石型期モータ２ａのモータ特性に基づいて設定される。
【００２１】
フィードバック電流演算器４ｇは、上記各電流検出器３Ａ，３Ｂから入力されるＵ相のモータ駆動電流Ｉu及びＶ相のモータ駆動電流Ｉv並びに各回転検出器２ｃ〜２ｅから入力される各相（Ｕ相、Ｖ相及びＷ相）に対応する３つの検出信号ＨＵ，ＨＶ，ＨＷに基づいて上記合成駆動電流Ｉを生成するものである。すなわち、フィードバック電流演算器４ｇは、Ｕ相のモータ駆動電流Ｉu及びＶ相のモータ駆動電流ＩvからＷ相のモータ駆動電流Ｉwを演算し、これら各相のモータ駆動電流Ｉu，Ｉv，Ｉwを検出信号ＨＵ，ＨＶ，ＨＷに基づいてスイッチングすることにより合成駆動電流Ｉを生成する。
【００２２】
また、速度演算器４ｈは、上記３つの回転検出器２ｃ〜２ｅのうち、Ｕ相に対応する回転検出器２ｃから入力される検出信号ＨＵに基づいて回転子の角速度ωを演算する。なお、角速度ωの演算に用いる検出信号は、Ｕ相の検出信号ＨＵに限定されず、検出信号ＨＵ，ＨＶ，ＨＷの何れであっても良いことは勿論である。
【００２３】
次に、このように構成された電動機付ターボチャージャ用電動機制御・駆動装置の動作について、図３及び図４をも参照して詳しく説明する。
【００２４】
図３は、電動機付ターボチャージャ２の回転数変化を示すものである。電動機付ターボチャージャ２は、エンジンの排ガスによってタービンが駆動されることによって回転数が上昇する一方、永久磁石型同期モータ２ａによる補助（アシスト）によっても回転数が上昇する。永久磁石型同期モータ２ａによるアシストは、図示する「電動アシスト」で示すように、電動機付ターボチャージャ２の回転数を高速上昇させるために行われるものである。永久磁石型同期モータ２ａのアシストによって、電動機付ターボチャージャ２の回転数は、例えば低速回転数ａ1から１０万回転を超える高速回転ａ1まで急速上昇する。
【００２５】
モータ制御装置４は、角速度目標値ω０が入力されることによってエンジン制御装置(ＥＣＵ)から「電動機アシスト」が指示されると、モータ駆動装置1を作動させることによって永久磁石型同期モータ２ａの駆動を行う。すなわち、電動機アシスト時においては、モータ駆動信号Ｕ，Ｖ，Ｗが各相（Ｕ相、Ｖ相及びＷ相）の駆動信号線を介してインバータ１ｃから永久磁石型同期モータ２ａに供給され、永久磁石型同期モータ２ａが回転駆動される。
【００２６】
そして、電流検出器３Ａ，３Ｂは、上記モータ駆動信号Ｕ，Ｖ，Ｗに基づくＵ相及びＶ相のモータ駆動電流Ｉu，Ｉvをフィードバック電流演算器４ｇに出力し、一方、各回転検出器２ｃ〜２ｅは、永久磁石型同期モータ２ａの回転子の回転位置を示す検出信号ＨＵ，ＨＶ，ＨＷを論理回路４ｆ及びフィードバック電流演算器４ｇに出力する。なお、検出信号ＨＵについては、回転検出器２ｃから速度演算器４ｈにも供給される。
【００２７】
図４に示すように、検出信号ＨＵ，ＨＶ，ＨＷは、Ｎ極とＳ極とからなる回転子の磁力のうち例えばＮ極の磁力を検出する度に、つまり回転子の１回転（３６０°）のうち１／２回転に相当する１８０°毎にＬ（ロー）／Ｈ（ハイ）を繰り返すと共に、互いの位相が１２０°（１／３回転分）だけずれたパルス信号である。一方、モータ駆動電流Ｉu，Ｉvは、包絡線が略正弦波状の交流信号である。
【００２８】
フィードバック電流演算器４ｇは、上記Ｕ相及びＶ相のモータ駆動電流Ｉu，ＩvからＷ相のモータ駆動電流Ｉwを演算し、各相（Ｕ相、Ｖ相及びＷ相）のモータ駆動電流Ｉu，Ｉv，Ｉwを検出信号ＨＵ，ＨＶ，ＨＷに基づいてスイッチングすることにより合成駆動電流Ｉを生成する。すなわち、フィードバック電流演算器４ｇは、このような検出信号ＨＵ，ＨＶ，ＨＷを切替タイミング信号としてモータ駆動電流Ｉu，Ｉv，Ｉwを順次選択することにより当該モータ駆動電流Ｉu，Ｉv，Ｉwを１つの時系列信号（つまり合成駆動電流Ｉ）に合成する。このように生成された合成駆動電流Ｉは、モータ駆動電流Ｉu，Ｉv，Ｉwを平均化した信号であり、各相（Ｕ相、Ｖ相及びＷ相）のモータ駆動電流Ｉu，Ｉv，Ｉwの平均的な検出値として減算器４ｃに供給される。
【００２９】
一方、検出信号ＨＵは、速度演算器４ｈに有力されることにより回転子の角速度ωに変換される。すなわち、速度演算器４ｈは、検出信号ＨＵを微分処理することにより回転子の角速度ωを抽出して減算器４ａに出力する。減算器４ａは、エンジン制御装置(ＥＣＵ)から入力される角速度目標値ω０と上記角速度ωとの差分を取ることにより速度誤差Δωを生成し、速度制御器４ｂは、この速度誤差Δωに所定の比例積分・微分演算を施することにより電流操作量Ｉsを生成する。
【００３０】
そして、減算器４ｃは、この電流操作量Ｉsとフィードバック電流演算器４ｇから入力される合成駆動電流Ｉとの差分を取ることにより誤差電流ΔＩを生成し、電流制御器４ｄは、この誤差電流ΔＩに所定の比例積分・微分演算を施することにより電圧操作量Ｖsを生成し、さらにＰＷＭ信号発生器４ｅは、上記電圧操作量Ｖsに基づいてインバータ１ｃの各スイッチング素子Ｓup，Ｓun，Ｓvp，Ｓvn，Ｓwp，ＳwnのＬ／Ｈタイミングを規定するＰＷＭ信号を生成する。
【００３１】
ここで、ＰＷＭ信号発生器４ｅで生成されるＰＷＭ信号は、各スイッチング素子Ｓup，Ｓun，Ｓvp，Ｓvn，Ｓwp，Ｓwnに対応した６つの連続信号である。論理回路４ｆは、このようなＰＷＭ信号の出力期間を各検出信号ＨＵ，ＨＶ，ＨＷに基づいて設定することによりＰＷＭ信号ＵＰ，ＵＮ，ＶＰ，ＶＮ，ＷＰ，ＷＮを生成する。すなわち、論理回路４ｆは、図４に示すように、回転子の半回転（１８０°）に対して１２０°分だけ、つまり１２０°通電方式に対応したＰＷＭ信号ＵＰ，ＵＮ，ＶＰ，ＶＮ，ＷＰ，ＷＮを出力する。
【００３２】
このような本実施形態によれば、回転検出器２ｃ〜２ｅによってモータ駆動信号Ｕ，Ｖ，Ｗの各相（Ｕ相、Ｖ相及びＷ相）に対応する回転子の回転位置を検出するので、永久磁石型同期モータ２ａの回転子の各相（Ｕ相、Ｖ相及びＷ相）に対応する回転位置を高精度に把握することができる。そして、このように高精度な回転子の回転位置を示す検出信号ＨＵ，ＨＶ，ＨＷに基づいて永久磁石型同期モータ２ａを制御・駆動するので、非特許文献１〜３及び特許文献１に開示された従来技術よりも永久磁石型同期モータ２ａを安定して制御することが可能である。
【００３３】
なお、本発明は上記実施形態に限定されるものではなく、例えば以下のような変形例が考えられる。
（１）上記実施形態における回転検出器２ｃ〜２ｅはホール素子を検出素子として用いるものであるが、本発明はこれに限定されるものではない。回転検出器は、ホール素子以外の検出素子（例えば磁気検出素子）を用いたものであっても良い。
【００３４】
（２）上記実施形態では、ＰＷＭ信号発生器４ｅで各スイッチング素子Ｓup，Ｓun，Ｓvp，Ｓvn，Ｓwp，Ｓwnについて各々生成されたＰＷＭ信号を論理回路４ｆで１２０°通電方式に対応したＰＷＭ信号ＵＰ，ＵＮ，ＶＰ，ＶＮ，ＷＰ，ＷＮとするが、本発明は、これに限定されない。ＰＷＭ信号発生器４ｅに論理回路４ｆの機能を持たせて一体化させても良い。
【００３５】
（３）上記実施形態では、モータ制御装置４が１２０°通電方式に対応したＰＷＭ信号ＵＰ，ＵＮ，ＶＰ，ＶＮ，ＷＰ，ＷＮを生成する場合について説明したが、本発明は、これに限定されるものではない。本発明は、１８０°通電方式や正弦波通電方式にも適用可能である。
【００３６】
（４）また、上記実施形態では電流検出器３Ａ，３Ｂによってモータ駆動電流Ｉu，Ｉvを検出し、このモータ駆動電流Ｉu，Ｉvをフィードバック電流演算器４ｇに供給することにより合成駆動電流Ｉを演算するが、これに代えて、昇圧回路１ｂからインバータ１ｃに供給される電源電流を検出し、この電源電流と検出信号ＨＵ，ＨＶ，ＨＷとに基づいて各相（Ｕ相、Ｖ相及びＷ相）のモータ駆動電流Ｉu，Ｉv，Ｉwを演算し、この演算によって得られたモータ駆動電流Ｉu，Ｉv，Ｉwに基づいて合成駆動電流Ｉを演算するようにしても良い。また、上記電源電流に代えて、各スイッチアーム１ｄ〜１ｆに流れるアーム電流に基づいて合成駆動電流Ｉを演算するようにしても良い。
【００３７】
（５）さらに、上記実施形態ではＵ相及びＶ相のモータ駆動電流Ｉu，Ｉvを検出し、座標変換器５ｄが上記Ｕ相及びＶ相のモータ駆動電流Ｉu，Ｉvに基づいてＷ相のモータ駆動電流Ｉwを算出するが、電流検出器で検出するモータ駆動電流はモータ駆動電流Ｉu，Ｉvに限定されない。任意の２相のモータ駆動電流を検出し、当該２相のモータ駆動電流に基づいて残りの１相を演算するようにすれば良い。
【図面の簡単な説明】
【００３８】
【図１】本発明の一実施形態に係わる電動機付ターボチャージャ用回転検出装置及びその関連機器の機能構成を示すブロック図である。
【図２】本発明の一実施形態におけるインバータ２ｃの詳細構成を示すブロック図である。
【図３】本発明の一実施形態において、電動機付ターボチャージャ２の回転数変化を示す図である。
【図４】本発明の一実施形態において、各検出信号ＨＵ，ＨＶ，ＨＷとＰＷＭ信号ＵＰ，ＵＮ，ＶＰ，ＶＮ，ＷＰ，ＷＮとの関係を示すタイミングチャートである。
【符号の説明】
【００３９】
１…モータ駆動装置、２…電動機付ターボチャージャ、２ｃ〜２ｅ…回転検出器、３Ａ，３Ｂ…電流検出器、４…モータ制御装置
【図１】
2007116769.tif 000003
【図２】
2007116769.tif 000004
【図３】
2007116769.tif 000005
【図４】
2007116769.tif 000006